【手続補正書】
【提出日】平成16年7月8日(2004.7.8)
【手続補正１】
【補正対象書類名】明細書
【補正対象項目名】発明の名称
【補正方法】変更
【補正の内容】
【発明の名称】パチスロ機の運営支援システム
【手続補正２】
【補正対象書類名】明細書
【補正対象項目名】特許請求の範囲
【補正方法】変更
【補正の内容】
【特許請求の範囲】
【請求項１】
遊技機島を構成する複数のパチスロ機の運営を支援するシステムであって、
前記複数のパチスロ機と通信可能に接続された管理コンピュータと、この管理コンピュータがアクセス可能なデータベースと、を備え、
前記パチスロ機は、所定時間間隔で、遊技データを前記管理コンピュータに送信するようになっており、
前記データベースは、各パチスロ機固有の番号である遊技台番号に対して設定した確率設定値の日毎の変化を記憶する遊技機データテーブルと、各遊技台番号と機種とを対応付けて記憶する機種テーブルと、日別の遊技データを各遊技台番号と対応付けて記憶する遊技データテーブルと、各遊技台番号と属する遊技機島とを対応付けて記憶する遊技機島テーブルと、を備え、
前記管理コンピュータは、確率設定値を少なくとも入力可能な入力装置と、複数単位でパチスロ機の確率を設定可能な表示画面を有する表示装置とを備えることを特徴とする遊技機の運営支援システム。
【請求項２】
前記管理コンピュータは、確率設定値毎のパチスロ機の台数と、確率設定値の平均値とを、日別に前記表示装置に表示するようになっている請求項１記載の遊技機の運営支援システム。
【請求項３】
前記管理コンピュータは、前記確率設定値毎のパチスロ機の台数と、前記確率設定値の平均値とを、機種別にも前記表示装置に表示するようになっている請求項２記載の遊技機の運営支援システム。
【請求項４】
前記管理コンピュータは、前記表示画面を前記表示装置に表示する際には、前記遊技機島の配列状態を考慮して複数単位でパチスロ機の確率を設定可能となっている請求項１乃至請求項３のいずれか一項に記載の遊技機の運営管理システム。
【請求項５】
印刷装置をさらに備えるとともに、
前記管理コンピュータは、確率設定値を変更したパチスロ機のみ各遊技台番号の確率設定値を前記印刷装置に印刷出力するようになっている請求項１乃至請求項４のいずれか一項に記載の遊技機の運営支援システム。
【請求項６】
印刷装置をさらに備えるとともに、
前記管理コンピュータは、ある遊技台番号に注目しその遊技台番号に対する確率設定値の日毎の値が変化しているならば、当該遊技台番号に対する確率設定値が変更されたとして、変更前の確率設定値と変更後の確率設定値とを前記印刷装置に印刷出力するようになっている請求項１乃至請求項４のいずれか一項に記載の遊技機の運営支援システム。
【手続補正３】
【補正対象書類名】明細書
【補正対象項目名】０００１
【補正方法】変更
【補正の内容】
【０００１】
【発明の属する技術分野】
本発明は遊技機の運営支援システムに係わり、特に、スロットマシンの確率設定に適用される運営支援システムに関する。
【手続補正４】
【補正対象書類名】明細書
【補正対象項目名】０００８
【補正方法】変更
【補正の内容】
【０００８】
【課題を解決するための手段】
上記目的を達成するために、請求項１に係る発明によれば、遊技機島を構成する複数のパチスロ機の運営を支援するシステムであって、前記複数のパチスロ機と通信可能に接続された管理コンピュータと、この管理コンピュータがアクセス可能なデータベースと、を備え、前記パチスロ機は、所定時間間隔で、遊技データを前記管理コンピュータに送信するようになっており、前記データベースは、各パチスロ機固有の番号である遊技台番号に対して設定した確率設定値の日毎の変化を記憶する遊技機データテーブルと、各遊技台番号と機種とを対応付けて記憶する機種テーブルと、日別の遊技データを各遊技台番号と対応付けて記憶する遊技データテーブルと、各遊技台番号と属する遊技機島とを対応付けて記憶する遊技機島テーブルと、を備え、前記管理コンピュータは、確率設定値を少なくとも入力可能な入力装置と、複数単位でパチスロ機の確率を設定可能な表示画面を有する表示装置とを備えることを特徴とする遊技機の運営支援システムが提供される。
【手続補正５】
【補正対象書類名】明細書
【補正対象項目名】０００９
【補正方法】変更
【補正の内容】
【０００９】
また、請求項２に係る発明によれば、請求項１において、前記管理コンピュータは、確率設定値毎のパチスロ機の台数と、確率設定値の平均値とを、日別に前記表示装置に表示するようにした。
【手続補正６】
【補正対象書類名】明細書
【補正対象項目名】００１０
【補正方法】変更
【補正の内容】
【００１０】
さらに、請求項３に係る発明によれば、請求項２において、前記管理コンピュータは、前記確率設定値毎のパチスロ機の台数と、前記確率設定値の平均値とを、機種別にも前記表示装置に表示するようにした。
【手続補正７】
【補正対象書類名】明細書
【補正対象項目名】００１１
【補正方法】変更
【補正の内容】
【００１１】
また、請求項４に係る発明によれば、請求項１〜３のいずれかにおいて、前記管理コンピュータは、前記表示画面を前記表示装置に表示する際には、前記遊技機島の配列状態を考慮して複数単位でパチスロ機の確率を設定可能とした。
【手続補正８】
【補正対象書類名】明細書
【補正対象項目名】００１２
【補正方法】変更
【補正の内容】
【００１２】
そして、請求項５に係る発明によれば、請求項１〜４のいずれかにおいて、前記管理コンピュータは、確率設定値を変更したパチスロ機のみ各遊技台番号の確率設定値を前記印刷装置に印刷出力するようにした。
【手続補正９】
【補正対象書類名】明細書
【補正対象項目名】００１３
【補正方法】変更
【補正の内容】
【００１３】
さらに、請求項６に係る発明によれば、請求項１〜４のいずれかにおいて、前記管理コンピュータは、ある遊技台番号に注目しその遊技台番号に対する確率設定値の日毎の値が変化しているならば、当該遊技台番号に対する確率設定値が変更されたとして、変更前の確率設定値と変更後の確率設定値とを前記印刷装置に印刷出力するようにした。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
【発明の実施の形態】
以下、本発明の実施形態を図面を参照しつつ説明する。
図１は、本発明の実施の形態にかかる運営支援システムのブロック構成図である。この運営支援システムは、遊技機島１０を構成するパチスロ１００ａ、１００ｂ、…、１００ｎと、各パチスロに設定する確率設定値を表示し、ＬＥＤ等で実現可能である表示部１１０ａ、１１０ｂ、…、１１０ｎと、各パチスロと通信媒体２４０によって通信可能に接続され、監視室２０に配設された管理コンピュータ２００と、管理コンピュータ２００がアクセス可能なデータベース２３０と、必要な情報を出力するプリンタ２３５とを有している。
【手続補正１３】
【補正対象書類名】明細書
【補正対象項目名】００２８
【補正方法】変更
【補正の内容】
【００２８】
一般に、確率設定の変更は営業終了後に行い、この確率設定の変更は翌日からの設定となるため、日付は翌日（但し、翌日が営業日の場合）とする。このように、入力装置２２０を介してユーザが指定した日付を、管理コンピュータ２００が、確率設定値と遊技台番号とを対にして記憶した行状のデータに付す処理も行う。
【手続補正１４】
【補正対象書類名】明細書
【補正対象項目名】００３６
【補正方法】変更
【補正の内容】
【００３６】
管理コンピュータ２００が表示出力するものとしては、遊技機データテーブル２３１の記憶内容の表示、遊技データテーブル２３３の記憶内容の表示の他、図５や図６で示す表の表示が挙げられる。なお、入力装置２２０を介して与えるコマンドに応じて、所望のデータが表示装置２１０に表示出力されるようになっている。もちろん、複数種類のデータを１表示画面内に表示してデータ分析を容易にすることも好ましい。
【手続補正１５】
【補正対象書類名】明細書
【補正対象項目名】００４２
【補正方法】変更
【補正の内容】
【００４２】
また、複数単位でパチスロの確率を設定可能な表示画面を表示装置２１０に表示させる際に、遊技機島の配列状態に考慮して、複数単位でパチスロの確率を設定可能にしたものも考えられる。
【手続補正１６】
【補正対象書類名】明細書
【補正対象項目名】００５０
【補正方法】変更
【補正の内容】
【００５０】
【発明の効果】
以上説明したように、本発明によれば、複数単位で遊技機の確率を設定可能な表示画面を表示手段に表示させ、遊技機の確率設定値を表示画面の所定の位置に表示するので、複数単位で遊技機の確率を設定可能になる。
【手続補正１７】
【補正対象書類名】明細書
【補正対象項目名】００５１
【補正方法】変更
【補正の内容】
【００５１】
また、請求項４に係る発明によれば、上記効果に加えて、表示画面を表示手段に表示させる際に、遊技機島の配列状態に考慮して、複数単位で遊技機の確率を設定可能にしたので、確率設定時の操作性が向上するという効果が得られる。
【手続補正１８】
【補正対象書類名】明細書
【補正対象項目名】００５２
【補正方法】変更
【補正の内容】
【００５２】
また、請求項５、６に係る発明によっても、遊技機に対する実際の確率設定操作の作業性が向上するという効果が得られる。